(57)【特許請求の範囲】
【請求項１】
情報処理端末と、前記情報処理端末に接続される移動通信端末と、前記移動通信端末が無線により通信を行う通信ネットワークと、で構成されるリモートロックシステムであって、
前記移動通信端末には、
第１の鍵データを記憶する第１の鍵データ記憶手段と、
前記通信ネットワークに対して、発信要求または位置登録要求の少なくともいずれか一方を行う際に、前記通信ネットワークから受信する信号に、前記情報処理端末の機能を停止することを指示する停止要求信号が含まれているか否かを判定する停止要求信号有無判定手段と、
前記停止要求信号有無判定手段により前記停止要求信号が含まれていないと判定した場合に前記第１の鍵データを前記情報処理端末に入力し、前記停止要求信号有無判定手段により前記停止要求信号が含まれていると判定した場合に前記第１の鍵データの前記情報処理端末への入力を停止する手段と、
パスワードを記憶するパスワード記憶手段と、
前記移動通信端末が前記通信ネットワーク圏外か圏内か、もしくはリモートロックシステムに対応しているか否かを検出し、前記情報処理端末に出力する受信検出手段と、を備え、
前記情報処理端末には、
ユーザデータを記憶するユーザデータ記憶手段と、
第２の鍵データを記憶する第２の鍵データ記憶手段と、
前記第２の鍵データと前記移動通信端末から読み出される前記第１の鍵データとを照合する鍵データ判定手段と、
前記鍵データ判定手段により前記第1の鍵データが正当なものであると判定した場合は前記情報処理端末を通常動作させ、前記第１の鍵データの入力が無い場合もしくは不正なものであると判定された場合は、前記ユーザーデータ記憶手段へのアクセス機能を停止し前記情報処理端末の使用を不可能にする機能管理手段と、
前記移動通信端末の前記受信検出手段により前記通信ネットワークの圏外もしくはリモートロックシステムに対応していない通信ネットワーク内にあることを検出し、圏外もしくはリモートロックシステムに対応していない通信ネットワークであると判定した場合、ユーザにパスワードの入力を要請し、入力されたパスワードと前記移動通信端末から読み出されたパスワードを比較し、入力されたパスワードが間違っていた場合、もしくはパスワードが入力されなかった場合に、前記機能管理手段により当該情報処理端末内の前記ユーザデータへのアクセス機能を停止し前記情報処理端末の使用を不可能にするパスワード判定手段と、を備え、
前記通信ネットワーク側には、
前記移動通信端末の機能を停止することを指示する停止指示の情報を記録する加入者情報データベースと、
前記移動通信端末から発信要求または位置登録要求の少なくとも一方を受信した場合に、前記加入者情報データベースを参照し、当該移動通信端末が前記加入者情報データベースに記録されていないか、または、前記加入者情報データベースに当該移動通信端末の使用を禁止する停止指示の情報が登録されている場合に、前記停止要求信号を生成して、当該移動通信端末に送信する停止要求信号生成手段と、を備える
ことを特徴とするリモートロックシステム。
【発明の詳細な説明】
【技術分野】
【０００１】
本発明は、リモートロックシステム、通信端末、リモートロック方法、および通信ネットワーク用サーバーに関し、特に、盗まれた通信端末（例えば、携帯電話等の移動通信端末や、データ通信カードを搭載した情報処理端末）に対し、より迅速・確実にリモートロック（ユーザデータへのアクセス機能や入出力部の機能の停止等）を行うことができる、リモートロックシステム、通信端末、リモートロック方法、および通信ネットワーク用サーバーに関するものである。
【背景技術】
【０００２】
近時、携帯電話機等の移動通信端末や、通信機能を有する情報処理端末（例えば、ＰＨＳデータ通信カードなどを搭載したモバイル用ＰＣなど）が広く普及し、業務用のみならず個人用としても大いに利用されている。また、移動通信端末の機能も向上し、インターネット等の通信ネットワークと接続し高速のデータ通信を行うことができるとともに、大量のユーザデータ（例えば、電子メールデータやアドレス帳等のユーザ個人情報）を保存することも可能になっている。
【０００３】
ところで、移動通信端末等の通信端末の機能の向上により、その利便性が向上した反面、通信端末が盗難にあい、不正な第三者により、この通信端末内に記録されたユーザデータを読み出し悪用された場合に、その被害が大きくなる。
【０００４】
このために、従来の通信端末のセキュリティ機能として、通信端末Ａが盗難された場合に、基地局や他通信端末Ｂからメールなどを用いてロックコードを通信端末Ａに送り、リモートでロックすることによって他者に不正に使用されたり個人情報の流出を防ぐ機能がある。
【０００５】
しかしこの機能は、通信端末Ａがメールなどリモートロック指示情報（ロック制御情報）を受信可能な状態でないと（電源ＯＦＦ・圏外など）、基地局や他の通信端末Ｂからいくらリモートロック指示情報を送信しても通信端末Ａはロックされない。
【０００６】
このため、基地局や他の通信端末Ｂから定期的にロック信号を送信する必要があり、またロック信号送信間隔によっては、ロックされるまでに不正使用され、機密データや個人情報が外部メディアにコピーされるなどして流出してしまう可能性があった。
【０００７】
なお、従来技術として、以下のような遠隔セキュリティ・システムがある（例えば、特許文献１参照）。すなわち、この遠隔セキュリティ・システムは、通信システムからの信号を受信するＲＦ受信機を備えており、通信システムを介して、ＲＦ受信機に対して指令することにより遠隔的に付勢できるセキュリティ機能を備えるようにしたものである。しかしながら、この従来技術の遠隔セキュリティ・システムでは、通信システムと通信不可能な状態にある場合には、セキュリティ機能を付勢することができず、上記問題点を解決することはできていなかった。
【０００８】
また、以下のような携帯用端末装置がある（例えば、特許文献２参照）。この携帯用端末装置は、携帯用端末装置が盗難にあった場合に、そのキー入力を停止させるようにしたものであり、外部（ホストコンピュータ）からの盗難信号（特定の信号）を受信したときに、内部に設けた盗難状態判断手段が動作してキー入力を無効にするように構成されている。しかしながら、この従来技術の携帯用端末装置では、外部と通信不可能な状態にある場合には、セキュリティ機能を作動させることができず、上記問題点を解決することはできていなかった。
【先行技術文献】
【特許文献】
【０００９】
【特許文献１】特開平１１−１３４２９７号公報
【特許文献２】特開平３−１００８９４号公報
【発明の概要】
【発明が解決しようとする課題】
【００１０】
上述したように、従来の携帯電話機等の通信端末においては、移動通信端末が通信不可能な状態（圏外など）にあると、この移動通信端末に対してリモートロック信号が伝送できないという問題があり、これを回避するためには、移動通信端末が通信可能となった期間で使用禁止信号が受信されるよう、他の通信端末または基地局から、定期的にリモートロック信号を発信する必要があった。
【００１１】
本発明はこのような問題を解決するためになされたもので、その目的は、盗まれた通信端末に対して、より迅速・確実にリモートロックを行うことができ、また、他の通信端末や基地局からのリモートロック信号の定期的な発信を不要にし、通信ネットワークの負荷を軽減することができる、リモートロックシステム、通信端末、およびリモートロック方法を提供することにある。
【課題を解決するための手段】
【００１２】
本発明のリモートロックシステムは、情報処理端末と、前記情報処理端末に接続される移動通信端末と、前記移動通信端末が無線により通信を行う通信ネットワークと、で構成されるリモートロックシステムであって、前記移動通信端末には、第１の鍵データを記憶する第１の鍵データ記憶手段と、前記通信ネットワークに対して、発信要求または位置登録要求の少なくともいずれか一方を行う際に、前記通信ネットワークから受信する信号に、前記情報処理端末の機能を停止することを指示する停止要求信号が含まれているか否かを判定する停止要求信号有無判定手段と、前記停止要求信号有無判定手段により前記停止要求信号が含まれていないと判定した場合に前記第１の鍵データを前記情報処理端末に入力し、前記停止要求信号有無判定手段により前記停止要求信号が含まれていると判定した場合に前記第１の鍵データの前記情報処理端末への入力を停止する手段と、パスワードを記憶するパスワード記憶手段と、前記移動通信端末が前記通信ネットワーク圏外か圏内か、もしくはリモートロックシステムに対応しているか否かを検出し、前記情報処理端末に出力する受信検出手段と、を備え、前記情報処理端末には、ユーザデータを記憶するユーザデータ記憶手段と、第２の鍵データを記憶する第２の鍵データ記憶手段と、前記第２の鍵データと前記移動通信端末から読み出される前記第１の鍵データとを照合する鍵データ判定手段と、前記鍵データ判定手段により前記第1の鍵データが正当なものであると判定した場合は前記情報処理端末を通常動作させ、前記第１の鍵データの入力が無い場合もしくは不正なものであると判定された場合は、前記ユーザーデータ記憶手段へのアクセス機能を停止し前記情報処理端末の使用を不可能にする機能管理手段と、前記移動通信端末の前記受信検出手段により前記通信ネットワークの圏外もしくはリモートロックシステムに対応していない通信ネットワーク内にあることを検出し、圏外もしくはリモートロックシステムに対応していない通信ネットワークであると判定した場合、ユーザにパスワードの入力を要請し、入力されたパスワードと前記移動通信端末から読み出されたパスワードを比較し、入力されたパスワードが間違っていた場合、もしくはパスワードが入力されなかった場合に、前記機能管理手段により当該情報処理端末内の前記ユーザデータへのアクセス機能を停止し前記情報処理端末の使用を不可能にするパスワード判定手段と、を備え、前記通信ネットワーク側には、前記移動通信端末の機能を停止することを指示する停止指示の情報を記録する加入者情報データベースと、前記移動通信端末から発信要求または位置登録要求の少なくとも一方を受信した場合に、前記加入者情報データベースを参照し、当該移動通信端末が前記加入者情報データベースに記録されていないか、または、前記加入者情報データベースに当該移動通信端末の使用を禁止する停止指示の情報が登録されている場合に、前記停止要求信号を生成して、当該移動通信端末に送信する停止要求信号生成手段と、を備えることを特徴とする。
【００１４】
このような構成により、通信端末は、通信ネットワークに対して、発信要求または位置登録要求の少なくともいずれか一方を行う際に、通信ネットワーク側から受信した信号に、リモートロック指示情報が含まれているか否かを判定し、リモートロック指示情報が含まれている場合は、少なくとも、ユーザデータ（例えば、電子メールデータやアドレス帳データなどのユーザ個人情報）へのアクセスを停止する。また、通信ネットワーク側は、通信端末から発信要求または位置登録要求の少なくともいずれか一方を受信した場合に、加入者情報データベースを参照し、当該通信端末に対してロック指示が設定されているか否かを判定し、ロック指示が設定されている場合は、リモートロック指示情報を生成して、通信端末に送信する。
【００１５】
これにより、通信端末から発信要求または位置登録要求の少なくとも一方があった場合に、通信ネットワーク側からリモートロック指示情報を送信できるようになる。このため、盗まれた通信端末に対して、より迅速・確実にリモートロック（ユーザデータへのアクセス機能の停止や、入出力部の機能の停止等）を行うことができる。また、基地局や他の通信端末から、盗まれた通信端末に対して、リモートロック指示情報を定期的に発信する必要がなくなり、通信ネットワークの負荷を軽減することができる。
【００１６】
また、このような構成により、通信端末が、前記通信ネットワークの圏外もしくはリモートロックに対応していない通信ネットワークであることを検出し、圏外もしくはリモートロックに対応していない通信ネットワークである場合は、パスワードの入力により前記通信端末の動作の停止することにより、通信端末が通信圏外やリモートロックに対応していない通信ネットワーク内に盗み出された場合でもロック動作を行うことができる。
【発明の効果】
【００１７】
本発明においては、盗まれた通信端末（携帯電話機等の移動通信端末や、データ通信カードなどを搭載したＰＣ等の情報処理端末等）に対して、より迅速・確実にリモートロック（ユーザデータへのアクセス機能の停止や、入出力部の機能の停止等）を行うことができる。また、基地局や他の通信端末から、盗まれた通信端末に対して、リモートロック指示情報を定期的に発信する必要がなくなり、通信ネットワークの負荷を軽減することができる。
【図面の簡単な説明】
【００１８】
【図１】本発明のリモートロックシステムの概要を説明するための図である。
【図２】リモートロックの解除手順について説明するための図である。
【図３】本発明のリモートロックシステムの第１の構成例を示す図である。
【図４】本発明のリモートロックシステムの第２の構成例を示す図である。
【図５】本発明のリモートロックシステムの第３の構成例を示す図である。
【図６】本発明のリモートロックシステムにおける第１の処理方法を示すフローチャートである。
【図７】本発明のリモートロックシステムにおける第２の処理方法を示すフローチャートである。
【図８】本発明のリモートロックシステムにおける第３の処理方法を示すフローチャートである。
【図９】図４に示す通信モジュールにおける処理の流れを示すフローチャートである。
【図１０】図４に示す機能端末における処理の流れを示すフローチャートである。
【図１１】図５に示す無線通信端末における処理の流れを示すフローチャートである。
【図１２】図５に示す情報処理端末における処理の流れを示すフローチャートである。
【図１３】本発明のリモートロックシステムにおける通信ネットワーク側の処理の流れを示すフローチャートである。
【図１４】通信ネットワーク側から移動通信端末へリモートロック指示情報を送信する端末ロックコントロールの流れを示す図である。
【図１５】加入者情報データベースの例を示す図である。
【図１６】コードレス電話での位置登録シーケンスにおける停止要求／解除指示の付加位置を示す図である。
【図１７】コードレス電話での一括発信時の制御シーケンスにおける停止要求／解除指示の付加位置を示す図である。
【図１８】本発明のリモートロックシステムの他のハードウェア構成例を示す図である。
【図１９】本発明のリモートロックシステムにおける他の処理方法の概略を示すフローチャートである。
【図２０】本発明のリモートロックシステムにおける他の処理方法を示すフローチャートである。
【図２１】本発明のリモートロックシステムの他のハードウェア構成例を示す図である。
【図２２】本発明のリモートロックシステムにおける他の処理方法を示すフローチャートである。
【図２３】本発明のリモートロックシステムの他のハードウェア構成例を示す図である。
【図２４】本発明のリモートロックシステムの他のハードウェア構成例を示す図である。
【図２５】本発明のリモートロックシステムの他のハードウェア構成例を示す図である。
【図２６】本発明のリモートロックシステムにおける他の処理方法を示すフローチャートである。
【発明を実施するための形態】
【００１９】
本発明は、通信端末の基地局との位置登録認証において位置登録応答にリモートロックの有無の情報を付加するか、通信端末の発信時の認証完了後の呼出応答にリモートロックの有無の情報を付加することによって、通信端末に対するリモートロックを実現し、リモート認証における通信負荷の軽減を図り、また、基地局などのネットワーク側からのリモートロック信号の定期的発信を不要にするものである。
【００２０】
ネットワーク側機能として、通信端末の契約ユーザからの要求により、位置登録応答の付加メッセージとしてリモートロック状態を設定する。また、移動体端末側の機能として、位置登録動作時（または発信動作時）の通信ネットワークからの応答信号の付加メッセージ内容を読み込み、通信端末の機能をロックするしくみをもつ。これらの機能により、盗まれた通信端末がネットワークにアクセスした時点で、当該通信端末をリモートロックすることが可能になる。また、ロック解除時には、ネットワークの設定を変更することにより、次回の通信端末の位置登録認証時（または発信要求時）に、リモートでロック解除が行われる。
【００２１】
次に本発明を実施するための最良の形態について図面を参照して説明する。
【００２２】
図１は、本発明によるリモートロックシステムの概要について説明するための図である。図１に示すリモートロックシステム１Ａにおいて、２は盗まれた移動通信端末（ＰＳ）、５１は基地局（ＣＳ）、５２は認証サーバを示している。なお、基地局５１と認証サーバ５２は、通信ネットワーク側に属する機器である。
【００２３】
以下、図１を参照して、その処理の流れについて説明する。
【００２４】
最初に、ユーザ要求により、綱管理者は認証サーバ５２の加入者情報データベース４６に移動通信端末２のリモートロック設定を行う（ステップＳ１）。
【００２５】
次に、移動通信端末２からの位置登録要求が発生したとする（ステップＳ２）。通信ネットワーク側では、接続シーケンスにて、接続元の移動通信端末２が正当なものか否かを認証するために、認証要求を移動通信端末２に対して発行する（ステップＳ３）。移動通信端末２は認証要求に対して認証応答を返す（ステップＳ４）。
【００２６】
通信ネットワーク側では、認証サーバ５２により、移動通信端末２の認証応答内容を確認し、位置登録受付信号を移動通信端末２に対して送信するが、ステップＳ１において加入者情報データベース４６にリモートロック状態が設定されているので、移動通信端末２に対してリモートロック指示のメッセージを付加して発行する（ステップＳ５）。
【００２７】
移動通信端末２は、リモートロック指示を受信したので、予め設定されているリモートロックモードにあわせて、ユーザデータ３１へのアクセス停止あるいは消去や入出力部の停止動作を行い、移動通信端末２のロックを行う。
【００２８】
なお、図２は、リモートロックされた移動通信端末２のロック解除の手順を示す図であり、リモートロックの解除は、以下の手順により行われる。
【００２９】
最初に、ユーザ要求により、網側の認証サーバに移動通信端末２のリモートロックを解除する設定を行う（ステップＳ７）。次に、移動通信端末２からの位置登録要求が発生する（ステップＳ２）。それから、通信ネットワーク側は、接続シーケンスにて、接続元の移動通信端末２が正当なものか、認証を行う要求を移動通信端末２に対して発行し（ステップＳ３）、移動通信端末２は認証要求に対して応答を返す（ステップＳ４）。
【００３０】
そして、認証サーバにより移動通信端末２の認証応答内容を確認するが、移動通信端末２に対するロック解除が設定されているので、移動通信端末２に対して、リモートロックの指示メッセージを含まない位置登録受付を送信するか、またはリモートロック解除指示を含む位置登録受付を発行する（ステップＳ８）。移動通信端末２は、ユーザデータへのアクセス機能、入出力機能を回復し、ロック解除を行う（ステップＳ９）。
【００３１】
［リモートロックシステムの第１の構成例の説明］
また、図３は、本発明のリモートロックシステムの第１の構成例を示す図である。図３において、リモートロックシステム１Ａは、携帯電話機等の移動通信端末２、および通信ネットワーク４０から構成される。なお、通信ネットワーク４０は、図１に示す基地局５１と認証サーバ５２の機能を含めて、通信ネットワーク４０として示したものである。
【００３２】
移動通信端末２は、携帯電話機等であり、本発明に関係する部分を示したものである。移動通信端末２には、移動通信端末２を操作するためのキー入力部１１、表示部１２、音声の入出力を行う音声入出力部１３、移動通信端末２の全体を制御する制御部２０、移動通信端末２の処理に必要なデータ（例えば、プログラム等）や、ユーザデータ３１、リモートロック動作フラグ３２を記憶する不揮発性メモリ３０を備えている。
【００３３】
また、移動通信端末２の制御部２０内の送受信制御部２１は通信ネットワーク４０との間で無線によるデータの送受信を行うための処理部である。リモートロック指示有無判別部２２は、送受信制御部２１を介して通信ネットワーク４０から受信した信号中にリモートロック指示情報が含まれているか否かを判定する処理を行う。
【００３４】
また、リモートロック指示有無判定部（リモートロック指示有無判定手段）２２は、通信ネットワーク４０から受信した信号にリモートロック指示情報が含まれていると判定した場合は、リモートロック動作フラグ３２をオン（ＯＮ）する処理を行い、リモートロック指示信号が含まれていないと判定した場合にはオフ（ＯＦＦ）する処理を行う。なお、リモートロック指示情報が含まれていないか、または、リモートロック解除指示情報が含まれていると判定した場合は、リモートロック動作フラグ３２をオフ（ＯＦＦ）する処理を行う。
【００３５】
ロック機能部２３は、リモートロック動作フラグ３２を参照し、スイッチ（ＳＷ１）２５のオン／オフ（ＯＮ／ＯＦＦ）制御を行う。すなわち、リモートロック動作フラグ３２がオン（ＯＮ）の場合は、スイッチ（ＳＷ１）２５をオフ（ＯＦＦ）にし、ユーザデータ３１の使用を停止する。
【００３６】
機能管理部（機能管理手段）２４は、移動通信端末の備える機能（入出力機能や、表示機能等）の実行を管理する処理部であり、スイッチ（ＳＷ１）２５がオフ（ＯＦＦ）の場合には、ユーザデータ３１へのアクセス機能を停止させ、ユーザデータ３１の読み出しを行えないようにする。反対に、スイッチ（ＳＷ１）２５がオン（ＯＮ）の場合には、ユーザデータ３１へのアクセスを許可し、ユーザデータ３１の読み出しを行えるようにする。
【００３７】
また、通信ネットワーク４０は、制御部４１と不揮発性メモリ４５を備えている。制御部４１内の送受信制御部４２は、移動通信端末２との間で無線によるデータの送受信を行
うための処理部である。加入者情報制御部４４は、移動通信端末２からの発信要求を受信した場合に、不揮発性メモリ４５内の加入者情報データベース４６を参照し、正当な加入者の移動通信端末であるか否かを認証するための処理を行う。
【００３８】
また、ロック情報設定部（ロック情報設定手段）４３は、加入者情報制御部４４により、加入者情報データベース４６を参照した結果、リモートロック指示が設定されていると判定した場合に、移動通信端末２をリモートロックするためのリモートロック指示を生成する処理を行う。また、リモートロックされた移動通信端末２に対して、リモートロック指示が解除されている場合は、リモートロック解除指示情報を含む応答信号（例えば、位置登録応答信号）を生成するか、または、リモートロック指示情報を含まない応答信号を生成する。
【００３９】
ロック情報設定部４３において生成されたリモートロック指示情報は、送受信制御部４２を介して、移動通信端末２に送信される。なお、リモートロック指示情報（または、リモートロック解除指示情報）は、認証フェーズにおける位置登録受付信号にメッセージとして付加されて移動通信端末２に送信される。
【００４０】
なお、図１５は、加入者情報データベース４６の例を示す図である。図１５に示すように、加入者情報データベース４６には、加入者ＩＤをインデックスにして、電話番号、停止指示、その他の所要の情報（例えば、契約サービスの種別等）が記録されている。なお、ロック指示は、正当なユーザの要求により、移動通信端末２の使用停止要求があった場合に、綱管理者が当該移動通信端末２のロック指示の設定を行うための情報である。例えば、「×」印の場合が、リモートロックの対象となる加入者ＩＤとなる。
【００４１】
［リモートロックシステムの第２の構成例の説明］
また、図４は、本発明のリモートロックシステムの第２の構成例を示す図である。図４に示すリモートロックシステム１Ｂは、図３に示す移動通信端末２を、無線通信機能を備えた通信モジュール３と、機能端末４とで構成した例を示している。機能端末４は、ダイヤルキーや各種機能ボタンからなるキー入力部１１と、ＬＣＤ等の表示部１２と、音声入出力部１３と、アドレス帳・写真などのユーザデータを管理する機能管理部２４等を備えている。この機能端末４と通信モジュール３は、Ｉ／Ｆ部１４、１５（例えば、ＰＣＭＣＩＡ、ＵＳＢ、独自インターフェース等）で接続される。
【００４２】
この構成例では、通信モジュール３で判定し不揮発性メモリ３０Ａに記憶したリモートロック動作フラグ３２の値を、機能端末４に通知する。機能端末４内のロック制御部２６は、通信モジュール３から通知されたリモートロック動作フラグ３２の値によって、スイッチ（ＳＷ１）２５をオン／オフ（ＯＮ／ＯＦＦ）制御する。機能管理部２４はスイッチ（ＳＷ１）２５がオフ（ＯＦＦ）の場合に、不揮発性メモリ３０Ｂ中のユーザデータ３１へのアクセス機能を停止する。また、キーロックなどのロック動作を実施する。
【００４３】
なお、通信モジュール３および機能端末４内の各構成について、それらを示す符号が図３と同じものは、同じ符号で示す図３中の各構成と同じ機能、動作であり、それらの説明はここでは省略する。
【００４４】
［リモートロックシステムの第３の構成例の説明］
また、図５は、本発明のリモートロックシステムの第３の構成例を示す図である。図５に示すリモートロックシステム１Ｃは、端末として、無線通信端末（例えば、ＰＨＳデータ通信カードなど）５と、該無線通信端末５をＩ／Ｆ部１４、１５で接続したＰＣやＰＤＡ等の情報処理端末６とで構成した例を示している。なお、情報処理端末６と無線通信端末５間の接続方法としてはＰＣＭＣＩＡ・ＵＳＢ・ＲＳ２３２Ｃなどの有線接続が使用できる他、無線ＬＡＮ・Ｂｌｕｅｔｏｏｔｈ・ＵＷＢなどの無線接続も使用できる。
【００４５】
図５に示す構成では、無線通信端末５で判定し不揮発性メモリ３０Ａに記憶したリモートロック動作フラグ３２の値を、情報処理端末６に通知する。情報処理端末６内のロック制御部２６は、通信モジュール３から通知されたリモートロック動作フラグ３２の値によって、スイッチ（ＳＷ１）２５をオン／オフ（ＯＮ／ＯＦＦ）制御する。機能管理部２４はスイッチ（ＳＷ１）２５がオフ（ＯＦＦ）の場合に、不揮発性メモリ３０Ｂ中のユーザデータ３１へのアクセス機能を停止する。また、キーロックなどのロック動作を実施する。
【００４６】
また、無線通信端末５の不揮発性メモリ３０Ａに鍵データ３３が格納されており、リモートロック動作フラグ３２の値によりオン／オフ（ＯＮ／ＯＦＦ）するスイッチ（ＳＷ２）２７を通してロック制御部２６Ａに送られるようになっている。
【００４７】
この鍵データは、無線通信端末５で判定したリモートロックフラグの値の伝達、または、情報処理端末６のロック解除あるいは情報処理端末６内の暗号データの解除あるいは復号化の為に使用されるものであり、スイッチ（ＳＷ２）２７をＯＦＦすることにより、情報処理端末６からの鍵データ３３へのアクセスを停止することで、情報処理端末６を使用不能にする、もしくは暗号化情報の復号化を許さないことで機密情報・個人情報の流出を防止することができる。例えば、情報処理端末６内のハードディスクを取り外して解読される場合もあり得るので、この場合の対策として、無線通信端末５内に暗号鍵の情報を保持し、この暗号鍵によりハードディスクに記録する情報を暗号化するようにし、無線通信端末５が通信ネットワーク４０側からリモートロック指示情報を受信した場合には、この暗号鍵の情報をロックまたは、または削除する。
【００４８】
なお、無線通信端末５および情報処理端末６内の各構成について、それらを示す符号が図３と同じものは、同じ符号で示す図３中の各構成と同じ機能、動作であり、それらの説明はここでは省略する。
【００４９】
［リモートロックシステム１Ａにおける第１の処理方法についての説明］
図３で説明した、リモートロックシステム１Ａの構成例において、位置登録の実行タイミングとして、セル間の移動時はもちろん、移動通信端末２（または、通信モジュールや、無線通信端末５）の電源投入時にも行う様にする。これにより移動通信端末２の電源がＯＦＦとされていた期間内に発生したリモートロック指示の有無を認証サーバから受け取ることが可能となり、従来の位置登録動作の中で常にセキュリティ状態を確認することが可能となる。
【００５０】
図６は、本発明のリモートロックシステム１Ａにおける第１の処理方法を示すフローチャートである。このフローチャートは、図３に示す移動通信端末２における最も基本的となるリモートロック処理の方法を示したものである。なお、図６に示すフローチャートは、図４に示す通信モジュール３および機能端末４により通信端末を構成する場合にも同様に適用でき、また、図５に示す無線通信端末５および情報処理端末６により通信端末を構成する場合にも同様に適用できるものである。
【００５１】
以下、図６を参照して、その処理の流れについて説明する。
最初に、移動通信端末２の電源が投入される（ステップＳ１１）。移動通信端末２では、位置登録を開始し（ステップＳ１２）、認証フェーズにおいて、通信ネットワークからリモートロック状態の指示情報を受信したかどうかを判定する（ステップＳ１３）。
【００５２】
ステップＳ１３において、リモートロック指示情報を受信したと判定した場合は、（ステップＳ２８に移行し、通信を終了する。リモートロック指示情報を受信しなかったと判定した場合は、位置登録を継続する（ステップＳ１４）。
【００５３】
移動通信端末２では、位置登録が終了すると通信を終了し（ステップＳ１５）、待受状態に入る（ステップＳ２１）。
【００５４】
移動通信端末２は、ステップＳ２１の待受状態において、通信要求（発信要求）が行われたかどうかを検出する（ステップＳ２２）。通信要求が検出された場合には、ステップＳ２４に移行する。通信要求が検出されなかった場合は、移動通信端末２自身の位置登録の開始を検出する（ステップＳ２３）。位置登録の開始が検出された場合は、ステップＳ２４に移行する。位置登録の開始が検出されなかった場合は、ステップＳ２２に戻る。
【００５５】
ステップＳ２２において、通信要求が検出されるか、または、ステップＳ２３において、位置登録の開始が検出されると、移動通信端末２と通信ネットワーク４０との通信が開始される（ステップＳ２４）。通信の開始に伴い、移動通信端末２と通信ネットワーク４０との間の認証フェーズが行われ、この認証フェーズにおいて、移動通信端末２では通信ネットワーク４０からリモートロック指示情報を受信した否かを判定する（ステップＳ２５）。移動通信端末２は、リモートロック指示情報を受信しなかつた場合は、そのまま通信を継続し（ステップＳ２６）、通信が終了すると（ステップＳ２７）、ステップＳ２１に戻り、再び待受状態となる。
【００５６】
ステップＳ２５の認証フェーズにおいて、移動通信端末２が通信ネットワーク４０からリモートロック指示情報を受信したと判定した場合は、移動通信端末２は、即時に通信を終了し（ステップＳ２８）、リモートロック動作フラグ３２をオン（ＯＮ）し（ステップＳ２９）、スイッチ（ＳＷ１）２５をオフ（ＯＦＦ）し、ユーザデータ３１へのアクセス機能等を停止する（ステップＳ３０）。これにより、待受状態を終了し、移動通信端末２をロックする（ステップＳ３１）。
【００５７】
このような処理手順により、移動通信端末２から発信要求および位置登録要求があった場合に、通信ネットワーク４０側からリモートロック指示情報を送信できるようになる。このため、盗まれた移動通信端末２に対して、より迅速・確実にリモートロック（ユーザデータへのアクセス機能の停止や、入出力機能の停止等）を行うことができる。また、盗まれた移動通信端末２に対して、他の移動通信端末や基地局からのリモートロック信号の定期的な発信が不要になり、通信ネットワーク４０の負荷を軽減することができる。
【００５８】
なお、リモートロックされた移動通信端末２のロック解除は、例えば、ステップＳ１３またはステップＳ２５において、リモートロック指示を受信しなかった場合（またはリモートロック解除指示を受信した場合）に、リモートロックを解除する。
【００５９】
［リモートロックシステム１Ａにおける第２の処理方法についての説明］
位置登録の開始の実行タイミングとして、移動通信端末２内にタイマを設け、一定時間通信が行われない場合は、移動通信端末２が自発的に位置登録を行う様にする。これにより、一定時間以内にネットワークへのアクセスが発生し、リモートロック情報が移動通信端末２に伝送される。
【００６０】
図７は、本発明のリモートロックシステム１Ａにおける第２の処理方法を示すフローチャートである。このフローチャートは、図３に示す移動通信端末２における処理の流れを示すものであり、移動通信端末２が自発的に発信要求を行うようにした場合の処理の流れを示している。なお、図７に示すフローチャートは、図３に示す移動通信端末２における処理の流れを示すものであるが、図４に示す通信モジュール３および機能端末４により移動通信端末を構成する場合、および図５に示す無線通信端末５および情報処理端末６により端末を構成する場合にも同様に適用できるものである。
【００６１】
図７に示すフローチャートは、図６に示すフローチャートのステップＳ２１（待受状態）〜ステップＳ３１（待受終了）の部分に、ステップＳ２３ＡとステップＳ２７Ａが、新たに追加されたものであり、以下、新たに追加された処理ステップについて説明する。
【００６２】
ステップＳ２３Ａにおいては、移動通信端末２から発信が一定時間なかった場合において、通信間隔測定用のタイマの計測時間が満了した時に、移動通信端末２が通信ネットワーク４０と通信開始を行うようにしたものである。また、ステップＳ２７Ａでは、通信ネットワーク４０からの停止要求信号が受信されずに通信が終了した場合に（ステップＳ２７）、通信間隔測定用のタイマをリスタートする。
【００６３】
このような処理手順により、移動通信端末２内に、移動通信端末２による発信が行われなかった時間を一定時間計測するタイマを設け、このタイマの計測時間が満了する時に、移動通信端末２から通信ネットワーク４０に対して発信要求を行うようにできる。これにより、盗まれた移動通信端末２に対して、より迅速・確実にリモートロック（ユーザデータへのアクセス機能の停止や、入出力機能の停止等）を行うことができる。また、盗まれた移動通信端末２に対して、他の移動通信端末や基地局からのリモートロック信号の定期的な発信が不要になり、通信ネットワーク４０の負荷を軽減することができる。
【００６４】
［リモートロックシステム１Ａにおける第３の処理方法についての説明］
さらに、移動通信端末２の発呼の機会を増やす方法として、図３に示す移動通信端末２において所定時間に渡りキー入力がなかった場合には、次回キーアクセス時に発呼または位置登録を実施する。これにより、不正利用の可能性がある動作時に、セキュリティ状態を確認することができ、リモートロック動作を行うことができる。
【００６５】
図８は、本発明のリモートロックシステム１Ａにおける第３の処理方法を示すフローチャートである。このフローチャートは、移動通信端末２における処理の流れを示すものである。なお、図８に示すフローチャートは、図３に示す移動通信端末２における処理の流れを示すものであるが、図４に示す通信モジュール３および機能端末４により移動通信端末を構成する場合、および図５に示す無線通信端末５および情報処理端末６により端末を構成する場合にも同様に適用できるものである。
【００６６】
図８に示すフローチャートにおいて、破線で囲まれた部分（ステップＳ２４〜Ｓ３１）は、図６に示すフローチャートと共通の部分であり、ステップＳ４１、Ｓ４２、およびＳ４３が、この処理フローにおける特徴部分である。
【００６７】
最初に、移動通信端末２は、キー入力の検出状態にある（ステップＳ４１）。そして、キー入力操作が行われなかった時間を一定時間計測するタイマの計数を開始する。そして、このタイマの計測時間が満了したか否かを判定し（ステップＳ４２）、タイマの計測時間が満了していないと判定された場合は、ステップＳ４２に戻り、キー入力の検出と通常の動作を継続する。
【００６８】
そして、キー入力が検出された際に、ステップＳ４２において、タイマが満了していると判定された場合は、移動通信端末２は通信を開始する（ステップＳ２４）。後は、図６で示した処理ステップＳ２４〜Ｓ３１と同様な処理を行い、移動通信端末２のリモートロックを行う。
【００６９】
なお、ステップＳ４３において、認証フェーズ（ステップＳ２５）において、通信ネットワークからのリモートロック指示信号情報を受信せずに通信が終了した場合に（ステップＳ２７）、キー入力検出用のタイマをリスタートする。
【００７０】
このような処理手順により、移動通信端末２においてキー入力が行われなかった時間を一定時間計測するタイマを設け、このタイマの計測時間が満了した場合には、次回キー入力時に通信ネットワーク４０に対して発信要求を行わせることができる。これにより、盗まれた移動通信端末２に対して、より迅速・確実にリモートロック（ユーザデータへのアクセス機能の停止や、入出力機能の停止等）を行うことができる。また、他の移動通信端末や基地局から、盗まれた移動通信端末２に対して、リモートロック信号を定期的に発信する必要がなくなり、通信ネットワーク４０の負荷を軽減することができる。
【００７１】
［端末が機能端末と通信モジュールで構成される場合のリモートロックシステム１Ｂにおける処理方法についての説明］
図６、図７、および図８に示したフローチャートは、図３に示す移動通信端末２における処理の流れを示すだけでなく、その手法は、図４に示す通信モジュール３と機能端末４により移動通信端末を構成する場合にも同様に適用できるものであるが、ここで、図４に示すリモートロックシステム１Ｂの構成例（通信モジュール３と機能端末４とで構成）における基本となる処理の流れについて説明しておく。
【００７２】
図９は、図４に示す通信モジュール３における処理の流れを示すフローチャートであり、図１０は、図４に示す機能端末４における処理の流れを示すフローチャートである。以下、図９および図１０を参照して、その処理の流れについて説明する。
【００７３】
図９を参照して、最初に、通信モジュール３は、待受状態にある（ステップＳ１１１）。そして、機能端末４において、通信要求（発信要求等）が行われたかどうかを検出する（ステップＳ１１２）。通信要求が検出された場合には、ステップＳ１１４に移行する。通信要求が検出されなかった場合は、通信モジュール３は自身の位置登録の開始を検出する（ステップＳ１１３）。位置登録の開始が検出された場合は、ステップＳ１１４に移行する。位置登録の開始が検出されなかった場合は、ステップＳ１１２に戻り、待受状態になる。
【００７４】
ステップＳ１１２において、通信要求が検出されるか、または、ステップＳ１１３において、位置登録の開始が検出されると、通信モジュール３と通信ネットワーク４０との通信が開始される（ステップＳ１１４）。通信の開始に伴い、通信モジュール３と通信ネットワーク４０との間の認証フェーズが行われ、この認証フェーズにおいて、通信モジュール３では通信ネットワーク４０からリモートロック指示情報を受信したか否かを判定する（ステップＳ１１５）。通信モジュール３により、通信ネットワーク４０からリモートロック指示情報を受信しなかつた場合は、そのまま通信が継続され（ステップＳ１１６）、通信が終了すると（ステップＳ１１７）、ステップＳ１１２に戻り、再び待受状態となる。
【００７５】
ステップＳ１１５の認証フェーズにおいて、通信モジュール３により通信ネットワーク４０からリモートロック指示情報を受信したと判定した場合は、通信モジュール３は、即時に通信を終了し（ステップＳ１１８）、リモートロック動作フラグ３２をオン（ＯＮ）する（ステップＳ１１９）。そして、リモートロック動作フラグ３２の値を機能端末４に送信し（ステップＳ１２０）、待受けを終了する（ステップＳ１２１）。
【００７６】
次に、図１０を参照して、機能端末４における処理の流れについて説明する。最初に、機能端末本体４は待受状態にある（ステップＳ１３１）。機能端末４は、通信モジュール３から送信されるリモートロック動作フラグ３２の信号を受信したかどうかを判定する（ステップＳ１３２）。そして、リモートロック動作フラグ３２の信号を受信した場合は、スイッチ（ＳＷ１）２５をオフ（ＯＦＦ）し（ステップＳ１３３）、ユーザデータ３１へのアクセス機能を停止する（ステップＳ１３４）。そして、待受状態を終了すると共に、機能端末４自身をロックする（ステップＳ１３５）。
【００７７】
このような処理手順により、通信端末が通信モジュール３と機能端末４から構成される場合において、端末側から発信要求および位置登録要求があった場合に、通信ネットワーク４０側からリモートロック指示情報を送信し、機能端末４をロックできるようになる。
【００７８】
［端末が無線通信端末と情報処理端末とで構成される場合のリモートロックシステム１Ｃにおける処理方法についての説明］
図６、図７、および図８に示したフローチャートは、図３に示す移動通信端末２における処理の流れを示すだけでなく、その手法は、図５に示す無線通信端末５と情報処理端末６とで端末を構成する場合にも同様に適用できるものであるが、ここで、図５に示す通信端末（無線通信端末５と情報処理端末６とで構成された通信端末）における基本となる処理の流れについて説明しておく。
【００７９】
図１１は、図５に示す無線通信端末（ＰＨＳデータ通信カードなど）５における処理の流れを示すフローチャートであり、図１２は、図５に示す情報処理端末（ＰＣやＰＤＡなど）６における処理の流れを示すフローチャートである。以下、図１１および図１２を参照して、その処理の流れについて説明する。
【００８０】
図１１を参照して、最初に、無線通信端末５は、待受状態にある（ステップＳ１４１）。そして、情報処理端末６において、通信要求（発信要求等）が行われたかどうかを検出する（ステップＳ１４２）。通信要求が検出された場合には、ステップＳ１４４に移行する。通信要求が検出されなかった場合は、無線通信端末５は自身の位置登録の開始を検出する（ステップＳ１４３）。位置登録の開始が検出された場合は、ステップＳ１４４に移行する。位置登録の開始が検出されなかった場合は、ステップＳ１４２に戻り、待受状態になる。
【００８１】
ステップＳ１４２において、通信要求が検出されるか、または、ステップＳ１４３において、位置登録の開始が検出されると、無線通信端末５と通信ネットワーク４０との通信が開始される（ステップＳ１４４）。通信の開始に伴い、無線通信端末５と通信ネットワーク４０との間の認証フェーズが行われ、この認証フェーズにおいて、無線通信端末５は通信ネットワーク４０からリモートロック指示情報を受信したか否かを判定する（ステップＳ１４５）。無線通信端末５が、通信ネットワーク４０からリモートロック指示情報を受信しなかつた場合は、そのまま通信が継続され（ステップＳ１４６）、通信が終了すると（ステップＳ１４７）、ステップＳ１４２に戻り、再び待受状態となる。
【００８２】
ステップＳ１４５の認証フェーズにおいて、通信ネットワーク４０からリモートロック指示情報を受信したと判定した場合は、無線通信端末５は、即時に通信を終了し（ステップＳ１４８）、リモートロック動作フラグ３２をオン（ＯＮ）し（ステップＳ１４９）、スイッチ（ＳＷ２）２７をオフ（ＯＦＦ）にし、鍵データへのアクセスを停止する（ステップＳ１５０）。そして、リモートロック指示情報の受信を確認し（ステップＳ１５１）、リモートロック動作フラグ３２の値を情報処理端末６に送信する（ステップＳ１５２）。それから、待受けを終了する（ステップＳ１５３）。
【００８３】
次に、図１２を参照して、情報処理端末６における処理の流れについて説明する。情報処理端末６は、電源ＯＮとともに、ブートストラッププログラムを起動し（ステップＳ１６１）、それからＯＳを起動する（ステップＳ１６２）。次に、無線通信端末５等のドライバの情報を読み込む（ステップＳ１６４）。
【００８４】
無線通信端末５のリモートロック状態を確認すると共に（ステップＳ１６５）、無線通信端末５からリモートロック信号（リモートロック指示情報）を受信したか否かを判定する（ステップＳ１６６）。
【００８５】
ステップＳ１６６において、リモートロック信号が受信されなかったと判定した場合は、ログインが許可され（ステップＳ１６７）、情報処理端末６を通常使用できるようになる（ステップＳ１６８）。
【００８６】
ステップＳ１６６において、リモートロック信号が受信されたと判定した場合は、スイッチ（ＳＷ１）２５をオフ（ＯＦＦ）にし（ステップＳ１６９）、ユーザデータ３１へのアクセスを停止する（ステップＳ１７０）、そして、情報処理端末６をロックする（ステップＳ１７１）。
【００８７】
このような処理手順により、端末が無線通信端末５と情報処理端末６から構成される場合において、端末側から発信要求および位置登録要求があった場合に、通信ネットワーク４０側からリモートロック指示情報を送信し、情報処理端末６をロックできるようになる。
【００８８】
［リモートロックシステムにおける通信ネットワーク４０側の処理方法についての説明］
次に、図３に示すリモートロックシステム１Ａにおける通信ネットワーク４０側の処理の流れについて説明する。図１３は、本発明のリモートロックシステムにおける通信ネットワーク４０側の処理の流れを示すフローチャートである。なお、図１３に示すフローチャートは、図４および図５に示すリモートロックシステム１Ｂ、１Ｃにも同様に適用されるものである。
【００８９】
以下、図１３を参照して、その処理の流れについて説明する。
最初に、通信ネットワーク４０は、待機状態にある（ステップＳ２０１）。そして、正規のユーザから、移動通信端末２の使用停止要求の連絡があった場合は（ステップＳ２０２）、対象ユーザの移動通信端末２の加入者情報データベース４６のリモートロック状態（図１５に示すロック指示の状態）を変更する（ステップＳ２０３）。
【００９０】
その後、移動通信端末２からの通信要求を検出し（ステップＳ２０４）、通信要求があった場合は、当該移動通信端末２と通信を開始し（ステップＳ２０５）、移動通信端末２に対して認証要求を送信し（ステップＳ２０６）、移動通信端末２から認証応答を受信する（ステップＳ２０７）。通信ネットワーク４０では、移動通信端末２から受信した認証応答の情報を基に、加入者情報データベース４６を参照し、移動通信端末２のリモートロック状態を設定し（ステップＳ２０８）、移動通信端末２にリモートロック指示情報を送信し（ステップＳ２０９、）通信処理を終了する（ステップＳ２１０）。
【００９１】
なお、リモートロックされた移動通信端末２のロック解除は、例えば、ステップＳ２０９において、リモートロック指示情報を付加しない応答信号を送信するか、または、リモートロック解除指示情報を付加した応答信号を送信することにより、移動通信端末２にロック解除を行わせる。
【００９２】
また、図１４は、通信ネットワーク側から移動通信端末２へリモートロック／ロック解除指示情報を送信する、端末ロックコントロールの流れを示す図である。
【００９３】
先ず、端末をロックする場合について説明する。
最初に、ユーザ要求により、通信ネッワーク側の認証サーバ５２に移動通信端末２をリモートロックする設定を行う（ステップＳ５０）。
続いて、移動通信端末２から通信ネットワーク側に対して、呼設定要求が発生する（ステップＳ５１）。
【００９４】
通信ネットワーク側では、接続シーケンスにて、接続元の移動通信端末２が正当なものか、認証を行う要求を移動通信端末２に対して発行する（ステップＳ５２）。
移動通信端末２は、認証要求に対して応答を返す（ステップＳ５３）。
【００９５】
通信ネットワーク側では、着ユーザ呼出が開始された後、呼出メッセージを移動通信端末２に対して発行する（ステップＳ５４）。この呼出メッセージに、リモートロックを指示するＵＵＩ（User to User Information）メッセージを付加するか否か（あるいはメッセージ内容）により、移動通信端末２にリモートロックを指示する。
【００９６】
リモートロック指示を受信した移動通信端末２は、予め設定されているリモートロックモードにあわせて、ユーザデータへのアクセス停止あるいは消去や入出力部の停止動作を行い、移動通信端末２のロックを行う（ステップＳ５５）。
【００９７】
リモートロックされた移動通信端末２のリモートロックの解除は、ステップＳ５０において、ユーザ要求により通信ネッワーク側の認証サーバ５２に移動通信端末２のロックを解除する設定を行い、ステップＳ５４における呼出通知にＵＵＩメッセージを付加せずに送信するか、または、ＵＵＩメッセージの内容をその旨を意味するものとすることにより行う。
【００９８】
停止／解除要求を指示するタイミングとして、図1、図２で説明した通信システムでは
、図１６に示すコードレス電話での位置登録シ−ケンスにおいて、例えば、位置登録受付１０１に付加するなど、認証終了後から無線チャネル切断前の段階で、移動通信端末２に送信するようにする。
【００９９】
また、図１４で説明する通信システムでの停止／解除要求を送信するタイミングは、図１７に示すコードレス電話での一括発信時の制御シーケンスにおいて、例えば、ＣＣ呼出１０２にＵＵＩメッセージとして付加するなど、認証終了後から呼接続前の段階で、移動通信端末２に送信するようにする。
【０１００】
これにより、リモートロック指示情報の移動通信端末２への送信が、従来の接続シーケンスにおいて、通信ネットワークに負担をかけることなく行えるようになる。
【０１０１】
以上、本発明の実施の形態について説明したが、通信端末が通信ネットワーク４０と通信ができない圏外に置かれたままであると、通信ネットワーク４０から通信端末に停止要求信号を送信できない。この場合のセキュリティ対策として、通信端末内にパスワードの情報を保持するようにし、通信端末を使用する際に、パスワードの入力を求めるようにしてもよい。これにより、通信端末が通信可能な圏内にある場合には、停止要求信号を送信してロックを行い、圏外にある場合には、パスワード入力を求めるようにし、よりセキュリティを高めることができる。
【０１０２】
図１８は、本発明のリモートロックシステムの上記動作を実現するための移動通信端末のハードウェア構成例を示す図である。図１８において、図３と重複する構成について、ここでは説明を省略する。また、同様の理由で通信ネットワーク４０の記載も省略している。
【０１０３】
移動通信端末２Ａの制御部２０Ａ内の基地局検出部６０は、送受信制御部２１により基地局のサーチを行い通信可能な基地局を検出し、その結果を機能管理部２４に出力する。通信ネットワーク検出部６１は、基地局検出部６０が検出した基地局による通信ネットワークが、リモートロックに対応した通信ネットワークであるかを検出し、その結果を同様に機能管理部２４に出力する。
【０１０４】
基地局検出部６０から基地局が検出されないとの結果を入力した機能管理部２４は移動通信端末２Ａが通信圏外であると判断する。また、通信ネットワーク検出部６１から、検出した基地局の通信ネットワークが、リモートロックに対応した通信ネットワークでないとの結果を入力した機能管理部２４は、移動通信端末２Ａがリモートロックに対応していない通信ネットワーク内であると判断する。通信圏外、もしくはリモートロック非対応通信ネットワーク内であることを判断した機能管理部２４、使用者に移動通信端末２Ａが通信圏外、もしくはリモートロック非対応通信ネットワーク内であることを告知し、パスワードの入力を促すよう表示部１２に表示する。
【０１０５】
通信圏外、もしくはリモートロック非対応通信ネットワーク内であることの告知を受けた使用者は、予め定められたパスワードをキー入力部１１や音声入出力部１３により入力する。入力されたパスワードは、機能管理部２４を経てパスワード判定部６２に入力され、予め不揮発メモリ３０Ａ内のパスワード記憶部３４に記憶されていたパスワードと比較される。その結果、入力されたパスワードが正規のものであれば、移動通信端末２Ａはそのまま通常動作を行う。
【０１０６】
一方、入力されたパスワードが、予め定められたパスワードと異なる場合には、パスワード判定部５２は不正なパスワードであると判定し、その結果をロック機能部２３に出力する。ロック機能部２３は、パスワード判定部６２から不正なパスワードの入力が検出された場合、スイッチ（ＳＷ１）２５をオフ（ＯＦＦ）として、以後のユーザデータ３１へのアクセス機能を停止して、移動通信端末２Ａの各種動作をロックして使用を不可能にする。
【０１０７】
図１９は、上記の本発明の他の実施例の基本的動作を示すフローチャートである。このフローチャートは、図１８に示される移動通信端末２Ａにおける最も基本的となるロック処理の方法を参照して示したものである。
移動通信端末２Ａにおいて、電源投入後、基地局サーチを開始する（ステップＳ３００）。ステップＳ３００の基地局サーチで基地局が発見できれば通常の通信が開始される（ステップ３０１、３０２）。
【０１０８】
ステップ３０１で基地局が発見されなかった場合、移動通信端末２Ａが通信圏外にあると判断し、ユーザーにパスワードの入力を促す（ステップＳ３０３）。パスワードの入力を促されたユーザーが所定のパスワードを入力すると、入力されたパスワードが正規のものか否かが判定される（ステップＳ３０４）。ステップＳ３０４で、入力されたパスワードが正規のものであれば移動通信端末２Ａはそのまま通常動作を行う（ステップＳ３０５）。一方、入力されたパスワードが正規のものではなく不正なものであると判断された場合は、移動通信端末２Ａの機能を停止させる（ステップＳ３０６）。
【０１０９】
図２０は図１９に示された動作を更に詳細に説明するフローチャートである。移動通信端末２Ａの電源が投入されると（ステップＳ４００）、先ず不揮発性メモリ３０Ａ内のリモートロック動作フラグ３２がオン（ＯＮ）かオフ（ＯＦＦ）かを判定する（ステップＳ４０１）。リモートロック動作フラグ３２がオン（ＯＮ）の場合は、スイッチ（ＳＷ１）２５をオフ（ＯＦＦ）し（ステップＳ４７１）、ユーザデータ３１へのアクセスを停止し（ステップＳ４７２）、移動通信端末２Ａをロックして待受け状態を終了する（ステップＳ４７３）。
【０１１０】
ステップＳ４０１において、リモートロック動作フラグ３２がオフ（ＯＦＦ）と判定された後、移動通信端末２Ａはタイマーをスタートさせ（ステップＳ４０２）、そのタイマーのタイムアップを判定し（ステップＳ４０３）、タイムアップにより、その時点での受信状態を読み出す（ステップＳ４０４）。
移動通信端末２Ａはリモートロック動作フラグ３２がオフ（ＯＦＦ）と判定された後、基地局サーチを開始する（ステップＳ４６０）。ステップＳ４６０の基地局サーチで基地局のサーチの成否がステップＳ４６１で判定され、基地局が発見できなければ、基地局サーチ結果が非成功であると判断する（ステップＳ４６２）。一方、ステップＳ４６１で基地局が発見された場合は、基地局サーチ成功と判断する（ステップＳ４６３）。ステップＳ４６３で基地局サーチが成功した場合、位置登録動作が開始され（ステップＳ４６４）、サーチに成功した基地局の通信ネットワークがリモートロックに対応しているものか否かを判断する（ステップＳ４６５）。ステップ４６４で、サーチに成功した基地局の通信ネットワークがリモートロックに対応していない場合は、そのまま位置登録を継続し（ステップＳ４６７）、通信を終了する（ステップＳ４６８）。
【０１１１】
一方、サーチに成功した基地局の通信ネットワークがリモートロックに対応している場合は、認証フェーズでリモートロック指示が受信されたか否かを判断し（ステップＳ４６６）、リモートロック指示が受信されなければ位置登録動作を継続し（ステップＳ４６７）、通信を終了する（ステップＳ４６８）。ステップＳ４６６でリモートロック指示が受信されたと判断された場合は、通信を終了して（ステップＳ４６９）、リモートロック動作フラグ３２をオン（ＯＮ）とする（ステップＳ４７０）。次に、スイッチ（ＳＷ１）２５をオフ（ＯＦＦ）し（ステップＳ４７１）、ユーザデータ３１へのアクセスを停止し（ステップＳ４７２）、移動通信端末２Ａをロックして待受け状態を終了する（ステップＳ４７３）。
【０１１２】
上記ステップＳ４６１、Ｓ４６２、Ｓ４６５、Ｓ４６８、Ｓ４７０に示される移動通信端末２Ａの通信状態は、ステップＳ４５０で逐次記憶される。例えば受信状態として、「基地局サーチ非成功」、「リモートロック非対応」、「リモートロック指示受信有り」、「リモートロック指示受信無し」である。尚、基地局サーチは、ここでは１回として説明したが、タイマーなどにより一定時間毎に行ってもよい。
【０１１３】
ステップＳ４０４でステップＳ４５０で記憶された受信状態を読出し、ステップＳ４０５で受信状態を判定する。その結果、受信状態の結果が出ていないと判定した場合は、タイマーをリセットして再スタートし（ステップＳ４０６）、ステップＳ４０３に戻る。
【０１１４】
一方、ステップＳ４０５で受信状態の結果があると判定した場合、次に基地局サーチの結果、受信に成功したかを判定する（ステップＳ４０７）。ステップＳ４０７で、通信状態が基地局サーチ非成功であった場合には、ユーザーへ所定パスワードの入力を促すよう表示部１２にパスワード入力要請を表示する（ステップＳ４０８）。次に、キー入力部からのパスワード入力の有無を検出し（ステップＳ４０９）、パスワードの入力が無い場合は移動通信端末２Ａの機能をロックする（ステップＳ４１１）。
【０１１５】
ユーザーからのパスワードの入力があった場合は、パスワード判定部６２により予めパスワード記憶部３４に記憶されているパスワードとの照合を行い（ステップＳ４１０）、入力されたパスワードが正しければ移動通信端末２Ａを通常動作させる（ステップＳ４１１）。一方、ステップＳ４１０で、入力されたパスワードが記憶されているパスワードと比較して不正なものであった場合、移動通信端末２Ａの機能をロックさせる（ステップＳ４１２）。
【０１１６】
ステップＳ４０７で、基地局のサーチに成功していると判断された場合、次にサーチに成功した基地局の通信ネットワークがリモートロックに対応しているか否かが判断される（ステップＳ４１３）。リモートロックに対応している場合は、移動通信端末２Ａは通常動作を行う（ステップＳ４１４）。一方、リモートロックに対応していなかった場合には、ステップＳ４０８に移行して、以下ステップＳ４０８からステップＳ４１２に示されるパスワードによる認証処理を行う。
【０１１７】
尚、上記のように通信圏外時にパスワード入力を求める構成は、図３に示す本発明の実施例にを元に説明したが、図４および図５に示される本発明の他の実施例の構成でも同様に実施することが可能であることは言うまでも無い。
【０１１８】
図２１は、図５に示される移動通信端末と情報処理端末とからなる本発明の実施例を、通信圏外時にパスワードを入力する構成とした実施例である。図２１において、図５と重複する構成について、ここでは説明を省略する。また、同様の理由で通信ネットワーク４０の記載も省略している。
【０１１９】
無線通信端末５Ａ内の基地局検出部６０は、基地局の検出の成否、通信ネットワーク４０のリモートロックの対応、および通信ネットワーク４０からのリモートロック指示の受信の有無を受信状態検出部６３に入力する。受信状態検出部６３は、情報処理端末６Ａ内の受信状態読出部７０からのコマンドを入力し、基地局の検出の成否、通信ネットワーク４０のリモートロックの対応、および通信ネットワーク４０からのリモートロック指示の受信の有無を回答する。受信状態読出部７０は、受信状態検出部６３からの回答を判定する。例えば、無線通信端末５Ａが基地局を発見していない場合は、無線通信端末５Ａおよび情報処理端末６Ａが通信ネットワーク４０の通信圏外であると判断する。
【０１２０】
受信状態読出部７０により、無線通信端末５Ａが通信圏外、もしくはリモートロックに対応していない通信ネットワーク圏内であることを検出した場合、機能管理部２４は、表示部１２により、使用者に圏外、もしくはリモートロック非対応通信圏内であることを告知し、パスワードの入力を促すよう表示する。通信圏外もしくはリモートロック非対応通信圏内であることの告知を受けた使用者は、情報処理端末６Ａのパスワード出力制御部７３により無線通信端末５Ａのパスワード記憶部３４に記憶させたパスワードと同じ、もしくは関連付けたパスワードを、キー入力部１１により入力する。入力されたパスワードは、パスワード入力制御部７２により無線通信端末５Ａのパスワード記憶部３４から読み出されたパスワードと、パスワード判定部６２Ａで判定される。入力されたパスワードと、記憶されていたパスワードとを比較し、入力されたパスワードが正規のものであれば、情報処理端末６Ａは通常動作を行う。
【０１２１】
一方、パスワードが入力されない、もしくは入力されたパスワードが、不正なパスワードであった場合には、パスワード判定部６２Ａは不正なパスワードであると判定し、その結果をロック制御部２６に出力する。ロック制御部２６はパスワード判定部６２Ａから不正パスワード入力が検出された場合、スイッチ（ＳＷ１）２５をオフ（ＯＦＦ）し、不揮発性メモリ３０Ｂ内のユーザデータ３１へのアクセスを停止すると共に、情報処理端末６Ａの各種動作をロックして、情報処理端末６Ａの使用を不可能にする。
【０１２２】
また、受信状態読出部７０により、通信ネットワーク４０からのリモートロック指示の受信が検出されなかった場合は、無線通信端末５Ａ内の鍵データ３３が、スイッチ（ＳＷ２）２７、ロック制御部２６Ａを介して情報処理端末６Ａの鍵データ検出部７１に入力され、情報処理端末６Ａ内の鍵データ３３Ａと鍵データ判定部７４で比較される。情報処理端末６Ａ内の鍵データ３３Ａと無線通信端末５Ａ内の鍵データ３３との照合の結果、正当なものであれば、情報処理端末６Ａは通常動作を行う。一方、照合の結果、不正なものであれば、ロック制御部２６により情報処理端末６Ａの使用を不可能にする。
【０１２３】
図２２は図２１に示された実施例の動作を詳細に説明するフローチャートである。
最初に、情報処理端末６Ａおよび無線通信端末５Ａの電源が投入される（ステップＳ５０１）。無線通信端末５Ａでは、不揮発性メモリ３０Ａ内のリモートロック動作フラグ３２がオン（ＯＮ）か否かを判定する（ステップＳ５０２）。リモートロック動作フラグ３２がオン（ＯＮ）の場合は、スイッチ（ＳＷ２）２７をオフ（ＯＦＦ）し（ステップ５７１）、鍵データ３３のアクセスを停止し（ステップＳ５７２）、情報処理端末６Ａのロック制御部２６によりスイッチ（ＳＷ１）２５をオフ（ＯＦＦ）し（ステップＳ５７３）、ユーザデータ３１のアクセスを停止する（ステップＳ５７４）。これにより、待受状態を終了し、ハードキー機能を停止して情報処理端末６Ａをロックする（ステップＳ５７５）。
【０１２４】
ステップＳ４０２において、リモートロック動作フラグ３２がオフ（ＯＦＦ）と判定された後、情報処理端末６Ａはタイマーをスタートさせ（ステップＳ５０３）、そのタイマーのタイムアップを判定し（ステップＳ５０４）、タイムアップにより、無線通信端末５Ａに対して受信状態を問い合わせるコマンドを出力する（ステップＳ５０５）。
無線通信端末５Ａはリモートロック動作フラグ３２がオフ（ＯＦＦ）と判定された後、基地局サーチを開始する（ステップＳ５６０）。ステップＳ５６０の基地局サーチで基地局のサーチの成否がステップＳ５６１で判定され、基地局が発見できなければ、基地局サーチ結果が非成功であると判断する（ステップＳ５６２）。
【０１２５】
一方、ステップＳ５６１で基地局が発見された場合は、基地局サーチ成功と判断する（ステップＳ５６３）。ステップＳ５６３で基地局サーチが成功した場合、位置登録動作が開始され（ステップＳ５６４）、サーチに成功した基地局の通信ネットワークがリモートロックに対応しているものか否かを判断する（ステップＳ５６５）。ステップ５６４で、サーチに成功した基地局の通信ネットワークがリモートロックに対応していない場合は、そのまま位置登録を継続し（ステップＳ５６７）、通信を終了する（ステップＳ５６８）。
【０１２６】
一方、サーチに成功した基地局の通信ネットワークがリモートロックに対応している場合は、認証フェーズで停止要求が受信されたか否かを判断し（ステップＳ５６６）、リモートロック動作要求が受信されなければ位置登録動作を継続し（ステップＳ５６７）、通信を終了する（ステップＳ５６８）。
【０１２７】
ステップＳ５６６でリモートロック指示が受信されたと判断された場合は、通信を終了して（ステップＳ５６９）、リモートロック動作フラグ３２をオン（ＯＮ）とする（ステップＳ５７０）。次にスイッチ（ＳＷ２）２７をオフ（ＯＦＦ）し（ステップ５７１）、鍵データ３３のアクセスを停止し（ステップＳ５７２）、情報処理端末６Ａのロック制御部２６によりスイッチ（ＳＷ１）２５をオフ（ＯＦＦ）し（ステップＳ５７３）、ユーザデータ３１のアクセスを停止する（ステップＳ５７４）。これにより、待受状態を終了し、ハードキー機能を停止して情報処理端末６Ａをロックする（ステップＳ５７５）。
【０１２８】
上記ステップＳ５６２、Ｓ５６５、Ｓ５６８、Ｓ５７０に示される無線通信端末５Ａの通信状態は、ステップＳ５５０で逐次記憶される。例えば無線通信端末５Ａの受信状態として、「基地局サーチ非成功」、「リモートロック非対応」、「リモートロック指示受信有り」、「リモートロック指示受信無し」である。尚、基地局サーチは、ここでは１回として説明したが、タイマーなどにより一定時間毎に行ってもよい。
【０１２９】
ステップＳ５０５で情報処理端末６Ａの受信状態読出部７０から受信状態を問い合わせるコマンドを入力した無線通信端末５Ａの受信状態検出部６３は（ステップＳ４５１）、上記ステップＳ５５０で記憶されている、無線通信端末５Ａの受信状態を情報処理端末６Ａに回答するコマンドを出力する（ステップＳ５５２）。
【０１３０】
無線通信端末５ＡのステップＳ５５２により、無線通信端末５Ａの受信状態を受信状態検出部６３から回答コマンドで受信状態読出部７０に入力した情報処理端末６Ａは（ステップＳ５１６）、無線通信端末５Ａの受信状態を判定する（ステップＳ５１７）その結果、受信状態の結果が出ていないと判定した場合は、タイマーをリセットして再スタートし（ステップＳ５１８）、ステップＳ５０４に戻る。
【０１３１】
一方、無線通信端末５Ａから入力したコマンドに受信状態の結果があると判定した場合、次に、基地局サーチの結果、受信に成功したか否か、およびリモートロックに対応しているか否かを判定する（ステップＳ５１９）。ステップＳ５１９で、無線通信端末５Ａの通信状態が基地局サーチ非成功、もしくは基地局サーチに成功であったとしてもリモートロックに非対応の通信ネットワークであった場合には、ユーザーへ所定パスワードの入力を促すよう表示部１２にパスワード入力要請を表示する（ステップＳ５２０）。
【０１３２】
次に、パスワード入力の有無を検出し（ステップＳ５２１）、パスワードの入力が無い場合は情報処理端末６Ａの機能を停止する（ステップＳ５２４）。ユーザーからのパスワードの入力があった場合は、予め記憶されているパスワードとの照合を行い（ステップＳ５２２）、入力されたパスワードが正しければ情報処理端末６Ａを通常動作させる（ステップＳ５２３）。一方、ステップＳ５２２で、入力されたパスワードが記憶されているパスワードと比較して不正なものであった場合、情報処理端末６Ａの機能を停止させる（ステップＳ５２４）。
【０１３３】
ステップＳ５１９で、無線通信端末５Ａの通信状態が基地局サーチに成功し、且つリモートロックに対応した通信ネットワークであると判断された場合、次にリモートロック指示が受信されたか否かを判定する（ステップＳ５２５）。リモートロック指示が受信された場合は情報処理端末６Ａの機能を停止する（ステップＳ５３０）。リモートロック指示が受信されなかった場合は、無線通信端末５Ａから鍵データ３３を読出すと共に、情報処理端末６Ａから鍵データ３３Ａを読出し（ステップＳ５２６）、それぞれの鍵データを照会する（ステップＳ５２７）。その結果、双方の鍵データが正規のものであると判断された場合は（ステップＳ５２８）、情報処理端末６Ａを通常動作させる（ステップＳ４２９）。一方ステップＳ５２８で照合の結果、鍵データが正規のものではないと判断された場合には、情報処理端末６Ａの機能を停止させる（ステップＳ５３０）。
図２１の実施例では、パスワード記憶部３４は無線通信端末５Ａ、パスワード判定部６２Ａは情報処理端末６Ａに設けたが、その構成はパスワードによる判定が行われれば図２１に限定されない。
【０１３４】
図２３は、パスワード記憶部を情報処理端末内に設けた例を示すハードウェア構成図である。
情報処理端末６Ｂには、パスワード記憶部３４Ａが設けられている。パスワード記憶部３４Ａには、図２１のパスワード記憶部３４と同様に、使用者などにより予めパスワードが記憶され、通信状態読出部７０により通信圏外や通信ネットワークのリモートロック非対応が検出された場合、キー入力部１１から入力されたパスワードとパスワード判定部６２Ａで比較される。
【０１３５】
図２４は、パスワード記憶部とパスワード判定部を共に無線通信端末内に設けた例を示すハードウェア構成図である。
無線通信端末５Ｃは、パスワード記憶部３４とパスワード判定部６２Ｂを備える。パスワード記憶部３４には、情報処理端末６Ｃのパスワード出力制御部７３により予め使用者などによりパスワードが記憶される。無線通信端末５Ｃの受信状態検出部６３により、通信圏外、もしくは検出された基地局による通信ネットワークがリモートロックに対応していない通信ネットワークであることが検出されると、スイッチ（ＳＷ２）２７がオフ（ＯＦＦ）され、鍵データ３３の使用を停止する。ロック制御部２６Ａは、スイッチ（ＳＷ２）２７がオフ（ＯＦＦ）の場合には、情報処理端末６Ｃの鍵データ検出部７１に鍵データを与えることを拒否し、ロック制御部２６は情報処理端末６Ｃをロックする。情報処理端末６Ｃでは、受信状態読出部７０で通信圏外、もしくは検出された基地局による通信ネットワークがリモートロックに対応していない通信ネットワークであることが検出されると、パスワードの入力を表示部１２により使用者に要請する。
【０１３６】
使用者によりキー入力部１１から入力されたパスワードは、機能管理部２４により無線通信端末５Ｃのパスワード判定部６２Ｂに出力される。パスワード判定部６２Ｂは入力されたパスワードとパスワード記憶部３４に記憶されているパスワードとを比較し、正規のパスワードであった場合にはスイッチ（ＳＷ２）２７がオン（ＯＮ）され、情報処理端末６Ｃの鍵データ検出部７１に鍵データが供給され、ロック制御部２６は情報処理端末６Ｃのロックを解除し、情報処理端末６Ｃは通常の動作を行う。
【０１３７】
一方、入力されたパスワードがパスワード記憶部３４に記憶されているパスワードと比較して不正なものである場合には、スイッチ（ＳＷ２）２７はオフ（ＯＦＦ）のままとして、鍵データ３３のアクセスを停止すると共に、情報処理端末６Ｃのロック制御部２６によりスイッチ（ＳＷ１）２５をオフ（ＯＦＦ）し、ユーザデータ３１のアクセスを停止し、情報処理端末６Ｃの機能を停止する。
尚、図２３および図２４に示す本発明の実施例の構成の動作は、図２２に示したフローチャートと同様であるので、ここでの説明は省略する。
【０１３８】
以上、パスワードの入力により情報処理端末のリモートロックを制御する例を説明したが、ここでのパスワードは、キーボードから入力される所定の文字列や、指紋などの生体認証情報が使用できる。更にパスワードとして情報の種類に限定されるものではなく、各種の認証情報、およびそれらの組み合わせなども使用可能である。
また、移動通信端末２内にデータ記憶部を有している場合、盗難された際、第三者にそのデータ記憶部を取り外され、記憶内容を解読される場合もあり得る。この場合の対策として、移動通信端末２内に暗号鍵の情報を保持し、この暗号鍵によりデータ記憶部に記録する情報を暗号化するようにし、移動通信端末２が通信ネットワーク４０側からリモートロック指示を受信した場合には、この暗号鍵の情報をロックまたは、または削除するようにしてもよい。
【０１３９】
図２５は、上記データ記憶部に記録する情報を暗号化する場合のリモートロックシステムのハードウェア構成例を示す図である。なお、ここでは図３と重複する部分の説明は省略する。
【０１４０】
移動通信端末２Ｂの暗号化鍵情報読出部８０は、暗号化鍵情報３５を検出する処理部である。ハードディスクや不揮発性メモリなどで構成されるデータ記憶部８２には、暗号化鍵情報読出部８０で検出された暗号鍵に従って、データ暗号化部８１により、暗号化されたデータが記憶される。
通常時、暗号化されたデータは、暗号化鍵情報読出部８０で検出された暗号鍵に従って、データ復号化部８３により復号化され、使用者が利用することができる。
【０１４１】
移動通信端末２Ｂの不揮発性メモリ３０Ａには、ユーザデータ３１、リモートロック動作フラグ３２、および暗号化鍵情報３５が記録される。
【０１４２】
送受信制御部２１は通信ネットワークとの間で無線によるデータの送受信を行うための処理部である。リモートロック有無判定部２２は、送受信制御部２１を介して通信ネットワーク４０から受信した信号中にリモートロック指示の信号（動作ロックを指示する信号）が含まれているか否かを判別する処理を行う。
【０１４３】
リモートロック有無判定部２２は、リモートロック指示の信号が含まれていないと判定した場合には、リモートロック動作フラグ３２をオフ（ＯＦＦ）する処理を行なう。一方リモートロック指示の信号が含まれていると判定した場合、リモートロック動作フラグ３２をオン（ＯＮ）する処理を行う。この時同時に、不揮発性メモリ３０Ａ内の暗号化鍵情報３５の消去を行ってもよい。
リモートロック動作フラグ３２がオン（ＯＮ）されると、ロック機能部２３は、スイッチ（ＳＷ１）２５およびスイッチ（ＳＷ３）６４をオフ（ＯＦＦ）にする。
【０１４４】
暗号化鍵情報制御部６５は、スイッチ（ＳＷ３）６４がオフ（ＯＦＦ）の場合には、暗号化鍵情報読出部８０に暗号化鍵情報３５を与えることを拒否する。また、スイッチ（ＳＷ３）６４がオンの場合には、暗号化鍵情報３５を読み出し、暗号化鍵情報読出部８０に送る。
【０１４５】
図２６は、データを暗号化する本発明のリモートロックシステムにおける処理方法を示すフローチャートである。なお、このフローチャートは図６に示されるフローチャートのステップＳ２８以後の処理を示すものであり、それ以外の処理は図６と同様であるため、ここでの説明は省略する。
【０１４６】
移動通信端末２Ｂが通信ネットワークからリモートロック指示の信号を受信したと判定した場合、移動通信端末２Ｂは、即時に通信を終了し（ステップＳ２８）、リモートロック動作フラグ３２をオン（ＯＮ）し（ステップＳ６００）、スイッチ（ＳＷ１）２５をオフ（ＯＦＦ）し、ユーザデータ３１のアクセスを停止し（ステップＳ６０１）、待受状態を終了して移動通信端末２Ｂをロックする。更に、スイッチ（ＳＷ３）６４をオフ（ＯＦＦ）し（ステップＳ６０２）、暗号化鍵情報３５の使用を停止し、データ記憶部８２に記憶されたデータの復号化を停止する（ステップＳ６０３）。
【０１４７】
このような処理手順により、通信ネットワーク４０側からのリモートロック指示の信号（移動通信端末２Ｂの機能を停止するロック信号）の受信により、移動通信端末２Ｂ内の記憶データの復号化が不可能となり、盗まれた移動通信端末２Ｂに対して、データの秘匿性の向上が実現可能となる。
【０１４８】
このように、データを暗号化して記憶し、通信ネットワーク側からのリモートロック指示の信号の受信により暗号化鍵の使用を停止する構成は、図３の実施例に限らず、図４および図５に示す実施例でも実現可能である。
【０１４９】
以上、本発明の実施の形態について説明したが、本発明のリモートロックシステムは、上述の図示例にのみ限定されるものではなく、本発明の要旨を逸脱しない範囲内において種々変更を加え得ることは勿論である。例えば、移動体通信機器に限らず、据え置き型の情報通信機器にも応用することが可能である。
【０１５０】
本発明においては、盗まれた通信端末に対して、より迅速・確実にリモートロックを行うことができ、また、他の通信端末や基地局から、盗まれた通信端末に対して、リモートロック信号を定期的に発信する必要がなくなり、通信ネットワークの負荷を軽減することができるので、本発明は、リモートロックシステム、通信端末、およびリモートロック方法等に有用である。
【符号の説明】
【０１５１】
１Ａ、１Ｂ、１Ｃ  リモートロックシステム
２  移動通信端末
３  通信モジュール
４  機能端末
５  無線通信端末
６  情報処理端末
１１  キー入力部
１２  表示部
１３  音声入出力部
１４、１５  Ｉ／Ｆ部
２０  制御部
２1  送受信制御部
２２  リモートロック指示有無判別部
２３  ロック機能部
２４  機能管理部
２５  スイッチ（ＳＷ１）
２６、２６Ａ  ロック制御部
２７  スイッチ（ＳＷ２）
３０、３０Ａ、３０Ｂ  不揮発性メモリ
３１  ユーザデータ
３２  リモートロック動作フラグ
３３、３３Ａ  鍵データ
３４、３４Ａ  パスワード記憶部
３５  暗号化鍵情報
４０  通信ネットワーク
４１  制御部
４２  送受信制御部
４３  ロック情報設定部
４４  加入者情報制御部
４５  不揮発性メモリ
４６  加入者情報データベース
５１  基地局
５２  認証サーバ
６０  基地局検出部
６１  通信ネットワーク検出部
６２、６２Ａ  パスワード判定部
６３  受信状態検出部
６４  スイッチ（ＳＷ３）
６５  暗号化鍵情報制御部
７０  受信状態読出部
７１  鍵データ検出部
７２  パスワード入力制御部
７３  パスワード出力制御部
７４  鍵データ判定部
【図１】
0005398752.tif 000002
【図２】
0005398752.tif 000003
【図３】
0005398752.tif 000004
【図４】
0005398752.tif 000005
【図５】
0005398752.tif 000006
【図６】
0005398752.tif 000007
【図７】
0005398752.tif 000008
【図８】
0005398752.tif 000009
【図９】
0005398752.tif 000010
【図１０】
0005398752.tif 000011
【図１１】
0005398752.tif 000012
【図１２】
0005398752.tif 000013
【図１３】
0005398752.tif 000014
【図１４】
0005398752.tif 000015
【図１５】
0005398752.tif 000016
【図１６】
0005398752.tif 000017
【図１７】
0005398752.tif 000018
【図１８】
0005398752.tif 000019
【図１９】
0005398752.tif 000020
【図２０】
0005398752.tif 000021
【図２１】
0005398752.tif 000022
【図２２】
0005398752.tif 000023
【図２３】
0005398752.tif 000024
【図２４】
0005398752.tif 000025
【図２５】
0005398752.tif 000026
【図２６】
0005398752.tif 000027